(57)【要約】【課題】  従来の吸塵装置付き研磨用電動工具は、布あるいは紙といった繊維性の材料を用いており、集塵量を把握することが難しいと言う問題があった。集塵器に粉塵が溜まりすぎると、集塵能力が著しく低下し、粉塵が電動工具の本体内へ逆流して電動工具内の部品に粉塵が溜まり、寿命が短くなるという問題があった。【解決手段】  研磨あるいは研削を行うための駆動装置と、研磨による粉塵を吸塵する吸塵装置と、吸塵した粉塵を溜める集塵器とを備えた手持式電動工具において、前記集塵器に吸込み量確認用の目盛付き窓を５〜１５ｍｍ幅の帯でポリアミド（ＰＡ）、ポリプロピレン（ＰＰ）、ポリエチレン（ＰＥ）などの透明樹脂で形成したものを付けた事を特徴とする研磨用電動工具。【選択図】  図１
2007144521.tif 000002
【特許請求の範囲】
【請求項１】
手持式の取っ手を備えたケーシングと、研磨材を備えたパッドと、前記ケーシング内に納められ前記パッドを回す駆動装置と、研磨による粉塵を吸塵する吸塵装置と、吸塵した粉塵を溜める集塵器とを備えた手持式電動工具において、
前記集塵器に吸込み量確認用の目盛付き窓を付けた事を特徴とする研磨用電動工具。
【請求項２】
前記目盛付き窓は５〜１５ｍｍ幅の帯であることを特徴とする請求項１記載の研磨用電動工具。
【請求項３】
前記目盛付き窓はポリアミド（ＰＡ）、ポリプロピレン（ＰＰ）、ポリエチレン（ＰＥ）などの透明樹脂であることを特徴とする請求項１又は請求項２記載の研磨用電動工具。
【発明の詳細な説明】
【技術分野】
【０００１】
本発明は、研磨用電動工具に備えている集塵器に関する発明である。
【背景技術】
【０００２】
ケーシング内に、研磨材を備えたパッドを回転させる駆動装置と、研磨による粉塵を吸塵する吸塵装置と、吸塵した粉塵を溜める集塵器とを備えた手持式電動工具は、従来から知られている。（特許文献１）
【特許文献１】特開平１０−２４４４６７
【発明の開示】
【発明が解決しようとする課題】
【０００３】
従来の吸塵装置付き研磨用電動工具は、研磨した際に発生する粉塵をパッドに設けられた穴から吸い込み、集塵器へ送り込んでいる。
【０００４】
しかし、従来の集塵器は吸い込んだ粉塵を集め、一方、空気を外に流すために、布あるいは紙といった繊維性の材料を用いている。そのため、集塵量を把握し難いと言う問題があった。
【０００５】
前記集塵器に粉塵が溜まりすぎると、集塵能力が著しく低下する。また、粉塵が電動工具の本体内へ逆流し、例えば、ボールベアリングなどのシール内部に粉塵が溜まり、ボールベアリングの寿命が短くなる。結果、電動工具自体の寿命も短くなるという問題がある。
【０００６】
そこで、本発明は上記問題点を考慮し、集塵量を把握することのできる集塵器を提供する。
【課題を解決するための手段】
【０００７】
請求項１に関する発明は、手持式の取っ手を備えたケーシングと、研磨材を備えたパッドと、前記ケーシング内に納められ前記パッドを回す駆動装置と、研磨による粉塵を吸塵する吸塵装置と、吸塵した粉塵を溜める集塵器とを備えた手持式電動工具において、前記集塵器に吸込み量確認用の目盛付き窓を付けた事を特徴とする研磨用電動工具を提供するものである。
【０００８】
請求項２に関する発明は、前記目盛付き窓は５〜１５ｍｍ幅の帯であることを特徴とする請求項１記載の研磨用電動工具を提供するものである。
【０００９】
請求項３に関する発明は、前記目盛付き窓がポリアミド（ＰＡ）、ポリプロピレン（ＰＰ）、ポリエチレン（ＰＥ）などの透明樹脂であることを特徴とする請求項１又は請求項２記載の研磨用電動工具を提供するものである。
【発明の効果】
【００１０】
請求項１に関する発明において、現在の集塵器内に溜まっている粉塵の量を把握することができるため、適当な粉塵量の時に廃棄することができる。
【００１１】
また、過剰な粉塵量による集塵能力の低下や、本体内への粉塵の逆流と言った問題を解消することができる。
【００１２】
請求項２において窓のサイズを５〜１５ｍｍにすることにより、粉塵量の把握ができる広さであり、かつ、吸引した空気を外部へ排出することに対して支障が無い。
【００１３】
請求項３に関する材料を用いることで、内部が見易く、軽量かつ薄く、適宜形状を形成し易い。
【発明を実施するための最良の形態】
【００１４】
以下、本発明の一実施形態について、図１から図４に基づいて説明する。
【００１５】
（１）本発明の電動工具の外部構造
図１において、本発明の電動工具１のケーシング２には、手持式の取っ手３や駆動スイッチ４を備えており、２つに分割できるようになっている。また、該電動工具１の底面には、サンドペーパーなどの研磨材を備えたパッド５が脱着可能に装着されている。さらに、前記取っ手３の下方には、ケーシング２側面に集塵器取付口６が設けられており、この部分に集塵器７が装着される。図２及び図３において、パッド５及び研磨材に吸込口８が設けられ、粉塵ファン９によって起こされた風が吸込口８に粉塵と共に流入する様になっている。従って、吸込まれた空気と粉塵は集塵器取付口６を通って、集塵器７に流れ込むことになる。
【００１６】
（２）本発明の電動工具の内部構造
図３において、２つに分解することができるケーシング２内には、粉塵ファン９及びパッド５を回転させるためのモータを構成する固定子１０と回転子１１を備えている。回転子１１には軸１２を備えており、この軸１２はボールベアリング１３に回転自在に支持されて、粉塵ファン９及びパッド５を軸着している。
【００１７】
（３）本発明の集塵器の構造
図４において、集塵器７は布あるいは紙といった繊維性の材質であり、楕円形の円筒の形状をしている。しかし、これは一実施形態であり、研磨する面に接触せず、また、取っ手３を握るのに支障の無い程度の間隔を空けることができれば、円筒形、三角形或いは正方形など、どのような形状でも良い。集塵器７の片方の面には電動工具本体１に取り付けるための取付部１４を設けており前記取付口６に挿入される。本発明の集塵器７は、取付部延長方向に向かって５〜１５ｍｍ幅のポリアミド（ＰＡ）、ポリプロピレン（ＰＰ）、ポリエチレン（ＰＥ）などの透明樹脂製の窓１５を外周面に設けている。該窓１５はｃｍ単位で目盛を付け、目盛の端には最大吸い込み量を表示する目盛を付ける。
【００１８】
（４）本発明の電動工具及び集塵器の動作状態
駆動スイッチ４をＯＮにすると、ケーシング２内のモータが回動し、パッド５及び粉塵ファン９が回転する。該パッド５の回転により対象物が研磨され、粉塵が発生するが、粉塵ファン９が回転することにより、ケーシング２内の空気が集塵器７に送風され、ケーシング２内の気圧が低くなり、外気がケーシング２内に吸引される。この外気が吸引するときに粉塵がパッド５に設けられた吸込口８へと吸引される。吸引された粉塵と空気は、導通口を通って取付部６から集塵器７内へ流れ込む。粉塵は集塵器７内で溜まるが、空気は集塵器７の繊維目を通って抜けていく。溜まった粉塵は積層し、窓１５の目盛によって粉塵量を把握することができる。
【産業上の利用可能性】
【００１９】
本発明は、吸塵装置付き研磨用電動工具において、集塵器に目盛付き窓を設けることで、吸い込んだ粉塵量を把握することができ、過剰な粉塵量による集塵能力の低下や、本体内への粉塵の逆流と言った問題を解消することができる。
【図面の簡単な説明】
【００２０】
【図１】本発明の電動工具の斜視図である。
【図２】本発明の電動工具の底面図である。
【図３】本発明の電動工具の分解図である。
【図４】本発明の集塵器の斜視図である。
【符号の説明】
【００２１】
１  研磨用電動工具
２  ケーシング
３  取っ手
４  駆動スイッチ
５  パッド
６  集塵器取付口
７  集塵器
８  吸込口
９  粉塵ファン
１０  固定子
１１  回転子
１２  軸
１３  ボールベアリング
１４  取付部
１５  窓
【図１】
2007144521.tif 000003
【図２】
2007144521.tif 000004
【図３】
2007144521.tif 000005
【図４】
2007144521.tif 000006